(57)【要約】 【課題】  ワイヤーハーネスの接続状態を視覚的に確認することができるワイヤーハーネス検査装置の提供【解決手段】第１のコネクタと第２のコネクタを有するワイヤーハーネスにおいて、第１コネクタの第１ピンＡ１と、第２コネクタの第１ピンＢ１とが接続されている場合には、第１コネクタの第１ピンＡ１と、第２コネクタの第１ピンＢ１とが、ディスプレイ２１６に表示する第１コネクタ１１３及び第２コネクタ１１４において、両者に対応するピンの間が線で結ばれるように表示される。【選択図】  図１３
2010060403.tif 000002
【特許請求の範囲】
【請求項１】
ワイヤーハーネスの第１のコネクタであって、一又は複数のピンを有する第１のコネクタを接続する第１の接続手段、
前記ワイヤーハーネスの第２のコネクタであって、一又は複数のピンを有する第２のコネクタを接続する第２の接続手段、
前記第１の接続手段に接続されている前記第１のコネクタ及び前記第２のコネクタに接続されている前記第２のコネクタに関する導通情報を取得する導通情報取得手段、
前記第１の接続手段が有するピンを所定の数に分割するための第１の分割情報及び前記第２の接続手段が有するピンを所定の数に分割するための第２の分割情報を取得する分割情報取得手段、
前記導通情報を前記第１の分割情報及び前記第２の分割情報を用いて前記第１のコネクタと前記第２のコネクタとの間の導通状態を検査する導通検査手段、
を特徴とするワイヤーハーネス検査装置。
【請求項２】
請求項１に係るワイヤーハーネス検査装置において、さらに、
前記導通情報を前記第１の分割情報及び前記第２の分割情報に基づき分割した分割導通情報を生成する分割導通情報生成手段、
検査対象のワイヤーハーネスの前記第１のコネクタが接続されている前記第１の接続手段のピン、及び、前記第２のコネクタが接続されている前記第２の接続手段のピンに対応する分割導通情報を検査対象情報として、一の検査対象情報と、他の一の検査対象情報とを比較することによって、前記第１のコネクタと前記第２のコネクタとの間の導通状態を検査する導通検査手段、
を特徴とするワイヤーハーネス検査装置。
【請求項３】
ワイヤーハーネスの第１のコネクタであって、一又は複数のピンを有する第１のコネクタを接続する第１の接続手段、
前記ワイヤーハーネスの第２のコネクタであって、一又は複数のピンを有する第２のコネクタを接続する第２の接続手段、
前記第１のコネクタと前記第２のコネクタとの間の導通状態を検査する導通検査手段、
前記導通状態を画面上に表示する導通状態表示手段であって、前記第１のコネクタが有する各ピンと前記第２のコネクタが有する各ピンとの導通状態を同時に表示する導通状態表示手段、
を有するワイヤーハーネス検査装置。
【請求項４】
請求項３に係るワイヤーハーネス検査装置において、
前記導通状態表示手段は、
前記導通状態を表示するにあたって、前記第１のコネクタの前記ピンの配置を表示する第１のコネクタ表示領域と前記第２のコネクタの前記ピンの配置を表示する第２のコネクタ表示領域とを所定の間隔をおいて配置し、前記第１のコネクタが有する前記ピンと前記第２のコネクタが有する前記ピンとが導通している場合には、両ピン間を結んだ線を表示すること、
を特徴とするワイヤーハーネス検査装置。
【請求項５】
請求項４に係るワイヤーハーネス検査装置において、
前記導通状態表示手段は、
前記第１のコネクタが有する前記ピン間で導通している場合には、前記第１のコネクタ表示領域において、第２のコネクタ表示領域が表示されている側とは反対の側に、導通している前記ピン間を結んだ線を表示すること、
を特徴とするワイヤーハーネス検査装置。
【請求項６】
ワイヤーハーネスの第１のコネクタであって、一又は複数のピンを有する第１のコネクタ及び前記ワイヤーハーネスの第２のコネクタであって、一又は複数のピンを有する第２のコネクタとの間の導通状態を表示するワイヤーハーネス検査プログラムであって、
前記第１の接続手段に接続されている前記第１のコネクタ及び前記第２のコネクタに接続されている前記第２のコネクタに関する導通情報を取得し、
前記第１の接続手段が有するピンを所定の数に分割するための第１の分割情報及び前記第２の接続手段が有するピンを所定の数に分割するための第２の分割情報を取得し、
前記導通情報を前記第１の分割情報及び前記第２の分割情報を用いて前記第１のコネクタと前記第２のコネクタとの間の導通状態を検査すること、
を特徴とするワイヤーハーネス検査プログラム。
【請求項７】
請求項６に係るワイヤーハーネス検査プログラムにおいて、さらに、
前記導通情報を前記第１の分割情報及び前記第２の分割情報に基づき分割した分割導通情報を生成し、
検査対象のワイヤーハーネスの前記第１のコネクタが接続されている前記第１の接続手段のピン、及び、記第２のコネクタが接続されている前記第２の接続手段のピンに対応する分割導通情報を検査対象情報として、一の検査対象情報と、他の一の検査対象情報とを比較することによって、前記第１のコネクタと前記第２のコネクタとの間の導通状態を検査すること、
を特徴とするワイヤーハーネス検査プログラム。
【請求項８】
ワイヤーハーネスの第１のコネクタであって、一又は複数のピンを有する第１のコネクタ及び前記ワイヤーハーネスの第２のコネクタであって、一又は複数のピンを有する第２のコネクタとの間の導通状態を表示するワイヤーハーネス検査プログラムであって、
前記ワイヤーハーネス検査プログラムは、
前記第１のコネクタと前記第２のコネクタとの間の導通状態の検査結果を取得し、
取得した検査結果に基づき、前記第１のコネクタが有する各ピンと前記第２のコネクタが有する各ピンとの導通状態を画面上に同時に表示すること、
を特徴とするワイヤーハーネス検査プログラム。
【請求項９】
請求項８に係るワイヤーハーネス検査プログラムにおいて、
前記導通状態を表示するにあたって、前記第１のコネクタの前記ピンの配置を表示する第１のコネクタ表示領域と前記第２のコネクタの前記ピンの配置を表示する第２のコネクタ表示領域とを所定の間隔をおいて配置し、前記第１のコネクタが有する前記ピンと前記第２のコネクタが有する前記ピンとが導通している場合には、両ピン間を結んだ線を表示すること、
を特徴とするワイヤーハーネス検査プログラム。
【請求項１０】
請求項９に係るワイヤーハーネス検査プログラムにおいて、
前記第１のコネクタが有する前記ピン間で導通している場合には、前記第１のコネクタ表示領域において、第２のコネクタ表示領域が表示されている側とは反対の側に、導通している前記ピン間を結んだ線を表示すること、
を特徴とするワイヤーハーネス検査プログラム。
【請求項１１】
コンピュータを用いて、ワイヤーハーネスの第１のコネクタであって、一又は複数のピンを有する第１のコネクタ、及び、前記ワイヤーハーネスの第２のコネクタであって、一又は複数のピンを有する第２のコネクタとの間の導通状態を表示するワイヤーハーネス検査方法であって、
前記コンピュータが、前記第１の接続手段に接続されている前記第１のコネクタ及び前記第２のコネクタに接続されている前記第２のコネクタに関する導通情報を取得し、
前記コンピュータが、前記第１の接続手段が有するピンを所定の数に分割するための第１の分割情報及び前記第２の接続手段が有するピンを所定の数に分割するための第２の分割情報を取得し、
前記コンピュータが、前記導通情報を前記第１の分割情報及び前記第２の分割情報を用いて前記第１のコネクタと前記第２のコネクタとの間の導通状態を検査すること、
を特徴とするワイヤーハーネス検査方法。
【請求項１２】
コンピュータを用いて、ワイヤーハーネスの第１のコネクタであって、一又は複数のピンを有する第１のコネクタ、及び、前記ワイヤーハーネスの第２のコネクタであって、一又は複数のピンを有する第２のコネクタとの間の導通状態を表示するワイヤーハーネス検査方法であって、
前記コンピュータが、前記第１のコネクタと前記第２のコネクタとの間の導通状態の検査結果を取得し、
前記コンピュータが、取得した検査結果に基づき、前記第１のコネクタが有する各ピンと前記第２のコネクタが有する各ピンとの導通状態を画面上に同時に表示すること、
を特徴とするワイヤーハーネス検査方法。
【発明の詳細な説明】
【技術分野】
【０００１】
本発明は、ワイヤーハーネスの接続状態を検査するワイヤーハーネス検査装置に関し、特に、ワイヤーハーネスの接続状態を視覚的に確認することができるものに関する。
【背景技術】
【０００２】
従来のワイヤーハーネス検査装置の一つであるＤ−ＳＵＢコネクタによる機器間の接続をするケーブルを検査する配線パターン検査装置１００を図１９を用いて説明する。配線パターン検査装置１００は、検査装置本体１０１、コネクタ部１０５Ａ、１０５Ｂ、発光ダイオード１０７を有している。
検査装置本体１０１の両側にコネクタ部１０５Ａ、１０５Ｂを設ける。また、検査装置本体１０１にコネクタ部１０５Ａ、１０５Ｂの各ピンに対応したスイッチＳＷａ1 〜ＳＷａ1 5、ＳＷｂ1 〜ＳＷｂ1 5 を設ける。さらに、検査装置本体１０１に、導通表示を行う発光ダイオード７を設ける。
検査対象のケーブル１０２のコネクタ１０３、１０４を、それぞれ検査装置本体１のコネクタ部１０５Ａ、１０５Ｂに嵌合する。コネクタ部１０５Ａ、１０５Ｂの各ピンに対応するスイッチＳＷａ1 〜ＳＷａ1 5 、ＳＷｂ1 〜ＳＷｂ1 5 を閉じて、それぞれ閉じたスイッチに対応するピン同士が導通していれば、発光ダイオード１０７が点灯する。導通していない場合は、発光ダイオード１０７は点灯しない。
これにより、Ｄ−ＳＵＢコネクタによる機器間の接続をする場合のケーブルチェックを簡単にし、通信異常発生の防止と、発生時の原因追求の時間を短縮する。
【特許文献１】特開平０５−０４７８９０号公報
【発明の開示】
【発明が解決しようとする課題】
【０００３】
しかしながら、前述の従来の配線パターン検査装置１００には、以下のような改善すべき点がある。コネクタ部１０５Ａ、１０５Ｂに属するピンの全ての組み合わせについて導通状態を確認するには、コネクタ部１０５Ａ、１０５Ｂの各ピンに対応するスイッチＳＷａ1 〜ＳＷａ1 5 、ＳＷｂ1 〜ＳＷｂ1 5 を操作して、全ての組み合わせを検査しなければならい、という改善すべき点がある。
【０００４】
また、配線パターン検査装置１００は、ケーブルのコネクタ部１０５Ａとコネクタ部１０５Ｂとの間で、所定のピン間に導通があれば発光ダイオード１０７が発光するものであるため、導通状態の表示は一つのピンの組み合わせが対象となる。このため、コネクタ部１０５Ａ、１０５Ｂ間の全ての導通状態を同時に確認することはできない、という改善すべき点がある。
さらに、配線パターン検査装置１００では、現在接続されているケーブルについてのみ導通状態を検査するため、現在接続されているケーブルが、ケーブルの設計図通りに配線されているか否かを確認することはできない、という改善すべき点がある。
そこで、本発明では、ワイヤーハーネスの接続状態を視覚的に確認することができるワイヤーハーネス検査装置を提供する。
【課題を解決するための手段】
【０００５】
本発明者は、様々な検討を重ねた結果、本発明に係るワイヤーハーネス検査装置を完成した。本発明における課題を解決するための手段及び発明の効果を以下に示す。
本発明に係るワイヤーハーネス検査装置、ワイヤーハーネス検査プログラム、及びワイヤーハーネス検査方法では、前記第１の接続手段に接続されている前記第１のコネクタ及び前記第２のコネクタに接続されている前記第２のコネクタに関する導通情報を取得し、前記第１の接続手段が有するピンを所定の数に分割するための第１の分割情報及び前記第２の接続手段が有するピンを所定の数に分割するための第２の分割情報を取得し、前記導通情報を前記第１の分割情報及び前記第２の分割情報を用いて前記第１のコネクタと前記第２のコネクタとの間の導通状態を検査する。
【０００６】
これにより、第１の接続手段及び第２の接続手段にワイヤーハーネスを複数同時に接続して、各ワイヤーハーネスの導通状態を検査することができる。
本発明に係るワイヤーハーネス検査装置、ワイヤーハーネス検査プログラム、及びワイヤーハーネス検査方法では、前記導通情報を前記第１の分割情報及び前記第２の分割情報に基づき分割した分割導通情報を生成し、検査対象のワイヤーハーネスの前記第１のコネクタが接続されている前記第１の接続手段のピン、及び、前記第２のコネクタが接続されている前記第２の接続手段のピンに対応する分割導通情報を検査対象情報として、一の検査対象情報と、他の一の検査対象情報とを比較することによって、前記第１のコネクタと前記第２のコネクタとの間の導通状態を検査する。
【０００７】
これにより、第１の接続手段及び第２の接続手段にワイヤーハーネスを複数同時に接続して、各ワイヤーハーネスの導通状態を検査することができる。
本発明に係るワイヤーハーネス検査装置、ワイヤーハーネス検査プログラム、及びワイヤーハーネス検査方法では、  前記第１のコネクタと前記第２のコネクタとの間の導通状態の検査結果を取得し、取得した検査結果に基づき、前記第１のコネクタが有する各ピンと前記第２のコネクタが有する各ピンとの導通状態を画面上に同時に表示する。
これにより、前記第１のコネクタが有する各ピンと前記第２のコネクタが有する各ピンとの導通状態を同時に確認することができる。
また、導通状態が動じ画面上に表示されるため、ケーブルの設計図と容易に比較することができる。よって、接続されているワイヤーハーネスが、設計図通りに配線されているか否かを容易に確認することができる。
【０００８】
さらに、煩雑な操作をすることなく、前記第１のコネクタが有する各ピンと前記第２のコネクタが有する各ピンとの導通状態を同時に確認することができる。
本発明に係るワイヤーハーネス検査装置、ワイヤーハーネス検査プログラム、及びワイヤーハーネス検査方法では、前記導通状態を表示するにあたって、前記第１のコネクタの前記ピンの配置を表示する第１のコネクタ表示領域と前記第２のコネクタの前記ピンの配置を表示する第２のコネクタ表示領域とを所定の間隔をおいて配置し、前記第１のコネクタが有する前記ピンと前記第２のコネクタが有する前記ピンとが導通している場合には、両ピン間を結んだ線を表示する。
これにより、容易に、前記第１のコネクタが有する各ピンと前記第２のコネクタが有する各ピンとの導通状態を同時に確認することができる。
【０００９】
本発明に係るワイヤーハーネス検査装置、ワイヤーハーネス検査プログラム、及びワイヤーハーネス検査方法では、前記第１のコネクタが有する前記ピン間で導通している場合には、前記第１のコネクタ表示領域において、第２のコネクタ表示領域が表示されている側とは反対の側に、導通している前記ピン間を結んだ線を表示する。
これにより、容易に、前記第１のコネクタが有する各ピンと前記第２のコネクタが有する各ピンとの導通状態を同時に確認することができる。
ここで、請求項における構成要素と実施例における構成要素との対応関係を示す。ワイヤーハーネスの第１のコネクタはワイヤーハーネス３１（ｎ）のコネクタ３１３（ｎ）に、ワイヤーハーネスの第２のコネクタはワイヤーハーネス３１（ｎ）のコネクタ３１４（ｎ）に、それぞれ対応する。
【００１０】
ワイヤーハーネス検査装置はワイヤーハーネス検査装置１に対応する。第１の接続手段は第１のコネクタ１１３に、第２の接続手段は第２のコネクタ１１４に、導通情報取得手段はＣＰＵ２１１及びメモリ２１２に、分割情報取得手段はＣＰＵ２１１、メモリ２１２及びマウス２１５に、導通検査手段はＣＰＵ２１１及びメモリ２１２に、分割導通情報生成手段はＣＰＵ２１１及びメモリ２１２に、導通状態表示手段ＣＰＵ２１１及びメモリ２１２に、それぞれ対応する。
導通情報はワイヤーハーネス導通状態データに、第１の分割情報は第１コネクタ端子数情報に、第２の分割情報は第２コネクタ端子数情報に、分割導通情報はマトリックスデータＭ１１〜Ｍ３５、検査対象情報は基準導通情報及び抽出したマトリックスデータに、それぞれ対応する。
第１のコネクタ表示領域は基準導通状態表示領域ａ１６に、第２のコネクタ表示領域は基準導通状態表示領域ａ１８に、それぞれ対応する。
【発明を実施するための最良の形態】
【００１１】
以下、本発明の実施形態について、図面を参照しながら詳細に説明していく。
【実施例１】
【００１２】
１．ワイヤーハーネス検査装置１の機能
本発明に係るワイヤーハーネス検査装置１の機能について、図１に示す機能ブロック図を用いて説明する。ワイヤーハーネス検査装置１は、第１の接続手段Ｍ１１、第２の接続手段Ｍ１３、導鬱検査手段Ｍ１５、導通状態表示手段Ｍ１７、導通情報取得手段Ｍ２１、分割情報取得手段Ｍ２３、及び分割導通情報生成手段Ｍ２５を有している。
第１の接続手段Ｍ１１には、ワイヤーハーネス３の第１のコネクタＭ３１であって、一又は複数のピンを有する第１のコネクタＭ３１が接続される。
第２の接続手段Ｍ１３は、前記ワイヤーハーネス３の第２のコネクタＭ３３であって、一又は複数のピンを有する第２のコネクタＭ３３が接続される。
導通検査手段Ｍ１５は、前記第１のコネクタＭ３１と前記第２のコネクタＭ３３との間の導通状態を検査する。
導通状態表示手段Ｍ１７は、前記導通状態を画面上に表示する導通状態表示手段であって、前記第１のコネクタＭ３１が有する各ピンと前記第２のコネクタＭ３３が有する各ピンとの導通状態を同時に表示する。また、導通状態表示手段Ｍ１７は、前記導通状態を表示するにあたって、前記第１のコネクタＭ３１の前記ピンの配置を表示する第１のコネクタ表示領域と前記第２のコネクタの前記ピンの配置を表示する第２のコネクタ表示領域とを所定の間隔をおいて配置し、前記第１のコネクタＭ３１が有する前記ピンと前記第２のコネクタＭ３３が有する前記ピンとが導通している場合には、両ピン間を結んだ線を表示する。さらに、導通状態表示手段Ｍ１７は、前記第１のコネクタＭ３１が有する前記ピン間で導通している場合には、前記第１のコネクタ表示領域において、第２のコネクタ表示領域が表示されている側とは反対の側に、導通している前記ピン間を結んだ線を表示する。
【００１３】
さらに、導通検査手段Ｍ１７は、前記導通情報を前記第１の分割情報及び前記第２の分割情報を用いて前記第１のコネクタと前記第２のコネクタとの間の導通状態を検査する。さらに、導通検査手段Ｍ１７は、検査対象のワイヤーハーネスの前記第１のコネクタが接続されている前記第１の接続手段のピン、及び、前記第２のコネクタが接続されている前記第２の接続手段のピンに対応する分割導通情報を検査対象情報として、一の検査対象情報と、他の一の検査対象情報とを比較することによって、前記第１のコネクタと前記第２のコネクタとの間の導通状態を検査する。
導通情報取得手段Ｍ２１は、前記第１の接続手段に接続されている前記第１のコネクタ及び前記第２のコネクタに接続されている前記第２のコネクタに関する導通情報を取得する。
分割情報取得手段Ｍ２３は、前記第１の接続手段が有するピンを所定の数に分割するための第１の分割情報及び前記第２の接続手段が有するピンを所定の数に分割するための第２の分割情報を取得する。
分割導通情報生成手段Ｍ２５は、前記導通情報を前記第１の分割情報及び前記第２の分割情報に基づき分割した分割導通情報を生成する。
これにより、前記第１のコネクタＭ３１が有する各ピンと前記第２のコネクタＭ３３が有する各ピンとの導通状態を同時に確認することができる。
【００１４】
２．ワイヤーハーネス検査装置１のハードウェア構成
ワイヤーハーネス検査装置１のハードウェア構成を図２に基づき説明する。ワイヤーハーネス検査装置１は、ワイヤーハーネス接続装置１１及びコンピュータ２１を有している。ワイヤーハーネス接続装置１１は、接続されたワイヤーハーネスの導通状態を検査する。コンピュータ２１は、ワイヤーハーネス接続装置１１によるワイヤーハーネスの導通状態の検査結果を表示する。
以下において、ワイヤーハーネス接続装置１１及びコンピュータ２１のハードウェア構成を説明する。
【００１５】
２．１．ワイヤーハーネス接続装置１１のハードウェア構成
ワイヤーハーネス接続装置１１のハードウェア構成を図３を用いて説明する。ワイヤーハーネス接続装置１１は、ＣＰＵ１１１、メモリ１１２、第１コネクタ１１３、第２コネクタ１１４、通信回路１１５を有している。
ＣＰＵ１１１は、メモリ１１２に記録されているオペレーティング・システム（ＯＳ）、ワイヤーハーネス検査プログラム等その他のアプリケーションに基づいた処理を行う。メモリ１１２は、ＣＰＵ１１１に対して作業領域を提供する。また、メモリ１１２は、オペレーティング・システム（ＯＳ）、ワイヤーハーネス検査プログラム等その他のアプリケーション、及びワイヤーハーネス検査の結果得られたワイヤーハーネス導通状態データを記録保持する。なお、ワイヤーハーネス導通状態データについては、後述する。
【００１６】
第１コネクタ１１３及び第２コネクタ１１４には、検査対象であるワイヤーハーネスのコネクタが接続される。第１コネクタ１１３及び第２コネクタ１１４は、接続されるワイヤーハーネスのコネクタが有する複数のピンに対応するピンを、それぞれ有している。ここで、第１コネクタ１１３及び第２コネクタ１１４の形状を図４に示す。図４には、コネクタのピン数が８ピンである第１コネクタ１１３、第２コネクタ１１４を示している。第１コネクタ１１３が有する各ピンには、ピン番号Ａ１、Ａ２、Ａ３、Ａ４、Ｂ１、Ｂ２、Ｂ３、Ｂ４が割り振られている。第２コネクタ１１４についても同様である。なお、以下においては、ピン番号Ａ１のピンをＡ１、ピン番号Ａ２のピンをＡ２、・・・とする。第１コネクタ１１３及び第２コネクタ１１４のそれぞれに検査対象であるワイヤーハーネスのコネクタを接続する。
通信回路１１５は、コンピュータ２１とのデータの送受信を行う。
【００１７】
２．２．コンピュータ２１のハードウェア構成
コンピュータ２１のハードウェア構成を図５を用いて説明する。コンピュータ２１は、ＣＰＵ２１１、メモリ２１２、ハードディスク２１３、キーボード２１４、マウス２１５、ディスプレイ２１６、光学式ドライブ２１７、及び通信回路２１８を有している。
ＣＰＵ２１１は、ハードディスク２１３に記録されているオペレーティング・システム（ＯＳ）、ワイヤーハーネス導通状態表示プログラム等その他のアプリケーションに基づいた処理を行う。メモリ２１２は、ＣＰＵ２１１に対して作業領域を提供する。ハードディスク２１３は、オペレーティング・システム（ＯＳ）、ワイヤーハーネス導通状態表示プログラム等その他のアプリケーション、及びワイヤーハーネス検査の結果得られたワイヤーハーネス導通状態データを記録保持する。
キーボード２１４、マウス２１５は、外部からの命令を受け付ける。ディスプレイ２１６は、ワイヤーハーネス導通状態を示した画像を表示する。光学式ドライブ２１７は、光学式メディア２１０からワイヤーハーネス導通状態表示プログラム等のデータを読み取る。通信回路２１８は、ワイヤーハーネス接続装置１１とのデータの送受信を行う。
【００１８】
３．ワイヤーハーネス導通状態データ
ワイヤーハーネス導通状態データとは、ワイヤーハーネスの両端のコネクタのそれぞれが有するピンについて、どのピンとどのピンとが接続されているかを示すデータをいう。
ワイヤーハーネス導通状態データについて、図６を用いて説明する。図６においては、第１コネクタ１１３及び第２コネクタ１１４は、のピン数が８ピン、ワイヤーハーネスのコネクタのピン数が３ピンである場合のワイヤーハーネス導通状態データを示している。また、第１コネクタ１１３に接続されるワイヤーハーネスのコネクタは第１コネクタ１１３のＡ１ピン〜Ａ３ピンに、第２コネクタ１１４に接続されるコネクタは第２コネクタ１１４のＡ１ピン〜Ａ３ピンに、それぞれ接続されているものとする。
ワイヤーハーネス導通状態データでは、縦軸に第１コネクタ１１３が有するビン番号が、横軸に第２コネクタ１１４が有するピン番号が、それぞれ割り当てられ、マトリックスを構成している。マトリックスには「０」若しくは「１」のデータが配置される。ここで、「０」は、その値が配置されたマトリックスにおいて、第１コネクタ１１３に対応するピンと第２コネクタ１１４に対応するピンとが電気的に接続されていないことを示している。また、「１」は、その値が配置されたマトリックスにおいて、第１コネクタ１１３に対応するピンと第２コネクタ１１４に対応するピンとが電気的に接続されていることを示している。
例えば、第１コネクタ１１３のＡ１ピンについてのマトリックスの値「１０００１０００」は、第１コネクタ１１３のＡ１ピンと第２コネクタ１１４のＢ１ピンと接続されていることを示している。
【００１９】
４．ワイヤーハーネスの接続
ワイヤーハーネス検査装置１においては、ワイヤーハーネスの検査をするにあたって、ワイヤーハーネス接続装置１１の第１コネクタ１１３及び第２コネクタ１１４に、検査するワイヤーハーネスのコネクタを接続する。
ワイヤーハーネス接続装置１１の第１コネクタ１１３にはワイヤーハーネスの一方のコネクタを、第２コネクタ１１４にはワイヤーハーネスのもう一方のコネクタを接続する。第１コネクタ１１３へコネクタを接続する際には、あるワイヤーハーネスのコネクタを接続した後、当該コネクタに隣接して、次のワイヤーハーネスのコネクタを接続するようにする。第２コネクタ１１４へコネクタを接続する際も同様である。
ワイヤーハーネス接続装置１１に対するワイヤーハーネスの接続の具体例を図７を用いて説明する。図７においては、第１コネクタ１１３及び第２コネクタ１１４は、８ピンのコネクタとしている。また、ワイヤーハーネス接続装置１１にワイヤーハーネス３１（１）及びワイヤーハーネス３１（２）の２本のワイヤーハーネス３１を同時に接続している。
ワイヤーハーネス３１（ｎ）のコネクタ３１３（ｎ）は３ピンのコネクタであり、コネクタ３１４（ｎ）は４ピンのコネクタとしている。また、ワイヤーハーネス３１（ｎ）においては、コネクタ３１３（ｎ）の第１ピンｐ（ｎ）とコネクタ３１４（ｎ）の第１ピンｗ（ｎ）とが、コネクタ３１３（ｎ）の第２ピンｑ（ｎ）とコネクタ３１４（ｎ）の第２ピンｘ（ｎ）とが、コネクタ３１３（ｎ）の第３ピンｒ（ｎ）とコネクタ３１４（ｎ）の第３ピンｙ（ｎ）、第４ピンｚ（ｎ）とが、それぞれ接続されているものとする。ここで、ｎは、１又は２の整数を示す。
【００２０】
ワイヤーハーネス接続装置１１の第１コネクタ１１３とワイヤーハーネス３１（１）との接続に際しては、第１コネクタ１１３については、第１コネクタ１１３の第１ピンＡ１にワイヤーハーネス３１（１）のコネクタ３１３（１）の第１ピンｐ（１）を接続するように、また、第２コネクタ１１４については、第２コネクタ１１４の第１ピンＢ１にワイヤーハーネス３１（１）のコネクタ３１４（１）の第１ピンｗ（１）を接続するようにする。また、ワイヤーハーネス接続装置１１の第１コネクタ１１３とワイヤーハーネス３１（２）との接続に際しては、第１コネクタ１１３の第４ピンＡ４にワイヤーハーネス３１（２）のコネクタ３１３（２）の第１ピンｐ（２）を接続するように、また、第２コネクタ１１４については、第２コネクタ１１４の第５ピンＢ５にワイヤーハーネス３１（２）のコネクタ３１４（２）の第１ピンｗ（２）を接続するようにする。
つまり、ワイヤーハーネス３１（１）のコネクタ３１３（１）を接続した後、当該コネクタ３１３（１）に隣接して、ワイヤーハーネス３１（２）のコネクタ３１３（２）を接続するようにする。また、ワイヤーハーネス３１（１）のコネクタ３１４（１）を接続した後、当該コネクタ３１４（１）に隣接して、ワイヤーハーネス３１（２）のコネクタ３４３（２）を接続するようにする。
【００２１】
５．ワイヤーハーネス検査装置１の動作
ワイヤーハーネス検査装置１の動作を、ワイヤーハーネス接続装置１１及びコンピュータ２１の動作として、図８及び図９に示すフローチャートを用いて説明する。ワイヤーハーネス接続装置１１の動作を示すフローチャートを図８に、コンピュータ２１の動作を示すフローチャートを図９に、それぞれ示す。
【００２２】
５．１．ワイヤーハーネス接続装置１１の動作
図８に示すように、ワイヤーハーネス接続装置１１のＣＰＵ１１１は、ワイヤーハーネス検査プログラムの起動があると、第１コネクタ１１３及び第２コネクタ１１４のそれぞれに接続されているコネクタの各ピンにかける電圧を全てロー（Ｌｏ）に初期設定する（Ｓ６０１）。ＣＰＵ１１１は、第１コネクタ１１３のピンの一つについて、電圧をハイ（Ｈｉ）にする（Ｓ６０３）。図７を例にすると、第１コネクタ１１３の第１ピンＡ１の電圧をハイ（Ｈｉ）にする。
図８に戻って、ＣＰＵ１１１は、第１コネクタ１１３及び第２コネクタ１１４の全てのピンについて、電圧を測定する（Ｓ６０５）。図７を例にすると、第１コネクタ１１３の第１ピンＡ１〜第８ピンＡ８、及び、第２コネクタ１１４の第１ピンＢ１〜第８ピンＢ８の電圧を測定する。
図８に戻って、ＣＰＵ１１１は、測定した電圧を、コネクタのピンに対応づけて導通状態データの一部としてメモリ１１２に記憶する（Ｓ６０７）。図７を例にすると、図６に示す導通状態データの第１コネクタ１１３の第１ピンＡ１に関する個別導通状態データがメモリ１１２に記憶される。
【００２３】
図８に戻って、ＣＰＵ１１１は、第１コネクタ１１３の全てのピンについて、ステップＳ６０３〜ステップＳ６０７の処理を実行したか否かを判断する（Ｓ６０９）。ＣＰＵ１１１は、第１コネクタ１１３の全てのピンについて、ステップＳ６０３〜ステップＳ６０７の処理を実行していないと判断すると、他のピンについてＣＰＵ１１１は、第１コネクタ１１３の全てのピンについて、ステップＳ６０３〜ステップＳ６０７の処理を実行する。
一方、ＣＰＵ１１１は、ステップＳ６０９において、第１コネクタ１１３の全てのピンについて、ステップＳ６０３〜ステップＳ６０７の処理を実行したと判断すると、メモリ１１２に記憶保持している導通状態データを、通信回路１１５を介して、コンピュータ２１へ送信する（Ｓ６１１）。
【００２４】
５．２．コンピュータ２１の動作
コンピュータ２１のユーザは、所定のワイヤーハーネスを検査する前に、コンピュータ２１のワイヤーハーネス検査プログラムを起動する。
図９に示すように、コンピュータ２１のユーザは、第１コネクタ１１３及び第２コネクタ１１４に接続するワイヤーハーネスのコネクタの端子数を設定する。ＣＰＵ２１１は、設定に際して、図１０に示す設定画面を表示する（Ｓ９０１）。ユーザは、第１コネクタに接続するワイヤーハーネスのコネクタの端子数が３端子、第２コネクタに接続するワイヤーハーネスのコネクタの端子数が４端子であれば、「３−４」に対応するラジオボタンをキーボード２１４やマウス２１５を用いて選択する。ＣＰＵ２１１は、設定画面における「ＯＫ」ボタンが選択されたと判断すると（Ｓ９０３）、選択されたラジオボタンに対応する第１コネクタの端子数を第１コネクタ端子数情報として、第２コネクタの端子数を第２コネクタ端子数情報としてメモリ２１２へ記憶する（Ｓ９０５）。なお、ステップＳ７０１及びステップＳ７０３のコネクタの端子数の設定は、ワイヤーハーネス接続装置１１による導通状態データの取得の前に行う。
【００２５】
図９に戻って、ＣＰＵ２１１は、ワイヤーハーネス接続装置１１から導通状態データを取得したと判断すると（Ｓ９０７）、個別導通状態データ間において同じデータがあれば、一方を導通状態データから削除する（Ｓ９０９）。例えば、図６における導通状態データにおいては、第１コネクタの第１ピンＡ１の個別導通状態データＤＡ１と第２コネクタの第１ピンＢ１の個別導通状態データＤＢ１とが同一であるので、個別導通状態データＤＢ１を導通状態データから削除する。図６における導通状態データから、重複する個別導通状態データを削除した導通状態データである修正導通状態データを図１１に示す。
図９に戻って、ＣＰＵ２１１は、メモリ２１２に記憶している第１コネクタ端子数情報及び第２コネクタ端子数情報を取得する（Ｓ９１１）。ＣＰＵ２１１は、第１コネクタ端子数情報及び第２コネクタ端子数情報に基づき、修正導通状態データをマトリックスデータに分割する（Ｓ９１３）。
【００２６】
マトリックスデータへの分割においては、応答ピン記述領域Ｃ５０３における第１コネクタ記述領域Ｃ５１３に属するデータを「第１コネクタ端子数情報×第１コネクタ端子数情報」のマトリックスデータに分割する。また、応答ピン記述領域Ｃ５０３における第２コネクタ記述領域Ｃ５２３に属するデータを「第１コネクタ端子数情報×第２コネクタ端子数情報」のマトリックスデータに分割する。なお、第１コネクタに属するピンの総数が第１コネクタ端子数情報の値の倍数でない場合、応答ピン記述領域Ｃ５０３における第１コネクタ記述領域Ｃ５１３に属するデータを「第１コネクタ記述領域の端数×第１コネクタ端子数情報」のマトリックスデータに、応答ピン記述領域Ｃ５０３における第２コネクタ記述領域Ｃ５２３については「第１コネクタ記述領域の端数×第２コネクタ端子数情報」のマトリックスデータに、それぞれ分割する。
【００２７】
例えば、図１１における修正導通状態データにおいて、第１コネクタ端子数情報が「３」、第２コネクタ端子数情報が「４」であったとすると、応答ピン記述領域Ｃ５０３における第１コネクタ記述領域Ｃ５１３に属するデータを「３×３」のマトリックスデータＭ１１、Ｍ１２、Ｍ２１、Ｍ２２に分割する。また、応答ピン記述領域Ｃ５０３における第２コネクタ記述領域Ｃ５２３に属するデータを「３×４」のマトリックスデータＭ１４、Ｍ１５、Ｍ２４、Ｍ２５に分割する。ここで、第１コネクタ１１３に属するピンの総数「８」が第１コネクタ端子数情報の値「３」の倍数でないため、第１コネクタのピン総数「８」を「３」で除したときの端数は「２」となる。よって、入力ピン記述領域Ｃ５０１における第１コネクタ記述領域Ｃ５１１の第７ピンＡ７及び第８ピンＡ８に属するデータのうち、応答ピン記述領域Ｃ５０３における第１コネクタ記述領域Ｃ５１３に属するデータを「２×３」のマトリックスデータＭ３１、Ｍ３２、Ｍ３３に、応答ピン記述領域Ｃ５０３における第２コネクタ記述領域Ｃ５２３に属するデータを「２×４」のマトリックスデータＭ３４、Ｍ３５に、それぞれ分割する。
そして、ＣＰＵ２１１は、基準導通情報取得処理（Ｓ９１５）及びワイヤーハーネス検査処理（Ｓ９１７）を実行する。基準導通情報取得処理（Ｓ９１５）及びワイヤーハーネス検査処理（Ｓ９１７）については後述する。
【００２８】
５．３．基準導通情報取得処理
コンピュータ２１のＣＰＵ２１１が実行する基準導通情報取得処理について、図１２に示すフローチャートを用いて説明する。
ＣＰＵ２１１は、パラメータｎを「１」に設定する（Ｓ１２０１）。ＣＰＵ２１１は、修正導通状態データからパラメータｎ＝「１」に対応する個別導通状態データを対象個別導通状態データとして取得する（Ｓ１２０３）。なお、パラメータｎの値が「１」である場合には、図１１においては、入力ピン記述領域Ｃ５０１の第１コネクタ記述領域Ｃ５１１に属する第１ピンＡ１の個別導通状態データＤＡ１を取得する。
図１２に戻って、ＣＰＵ２１１は、対象個別導通状態データにおいて、データの値が「１」であるデータを特定する（Ｓ１２０５）。そして、ＣＰＵ２１１は、特定したデータが含まれるマトリックスデータを抽出し、応答ピン記述領域Ｃ５０３における第１コネクタ記述領域Ｃ５１３に属するマトリックスデータを入力マトリックスデータ、応答ピン記述領域Ｃ５０３における第２コネクタ記述領域Ｃ５２３に属するマトリックスデータを応答マトリックスデータとして抽出し、メモリ２１２に記憶する（Ｓ１２０７）。
【００２９】
例えば、図１１においては、第１ピンＡ１の個別導通状態データを対象個別導通状態データとすると、応答ピン記述領域Ｃ５０３の第１コネクタ記述領域Ｃ５１３における第１ピンＡ１のデータ、及び、第２コネクタ記述領域Ｃ５２３における第１ピンＢ１のデータが特定される。そして、特定した第１ピンＡ１のデータを含むマトリックスデータＭ１１が入力マトリックスデータとして抽出される。また、特定した第１ピンＢ１のデータを含むマトリックスデータＭ１４が応答マトリックスデータとして抽出され、メモリ２１２に記憶される。
図１２に戻って、ＣＰＵ２１１は、入力マトリックスデータ及び応答マトリックスデータに基づき、第１コネクタ１１３と第２コネクタ１１４との間の導通状態を表示する導通情報取得処理を実行する（Ｓ１２０９）。導通情報取得処理については後述する。
コンピュータ２１の使用者は、導通状態表示処理によってディスプレイ２１６に表示される基準導通状態表示画面（図１３参照）を確認しながら、基準導通状態表示画面に表示されるワイヤーハーネスの導通状態が、当該ワイヤーハーネスにおける所定の導通状態と一致する、即ち、ワイヤーハーネスにおけるコネクタ間が正しく接続されていると判断すると、基準導通状態表示画面に表示されている基準導通状態情報取得ボタンＢ１３を、マウス２１５等によって選択する。
ＣＰＵ２１１は、基準導通状態情報取得ボタンが選択されたと判断すると（１２１１）、ＣＰＵ２１１は、抽出した入力マトリックスデータ及び応答マトリックスデータを、それぞれ基準入力マトリックスデータ及び基準応答マトリックスデータとする基準導通情報としてメモリ２１２へ記憶する（Ｓ１２１３）。
【００３０】
５．４．導通状態表示処理
コンピュータ２１のＣＰＵ２１１が実行する導通状態表示処理について図１４に示すフローチャートを用いて説明する。
ＣＰＵ２１１は、パラメータｍを「ｎ」に設定する（Ｓ１４０１）。ＣＰＵ２１１は、パラメータｎに対応する第１コネクタ記述領域Ｃ５１１のピン番号の個別導通状態データを取得する（Ｓ１４０３）。そして、ＣＰＵ２１１は、取得した個別導通状態データから値が「１」であるデータを特定する（Ｓ１４０５）。
ＣＰＵ２１１は、特定したデータが、入力マトリックスデータ及び応答マトリックスデータに含まれると判断すると（Ｓ１４０７）、特定したデータに対応する応答ピン記述領域Ｃ５０３におけるピン番号のうち、自らのピン番号以外のピン番号を取得する（Ｓ１４０９）。
ＣＰＵ２１１は、取得したピン番号から応答ピン記述領域Ｃ５０３の第２コネクタ記述領域Ｃ５２３に属するピン号を取得する（Ｓ１４１１）。ＣＰＵ２１１は、第１コネクタのパラメータｎに対応するピンと、ステップＳ１４１３で取得したピン番号に対応する第２コネクタのピンとを、ディスプレイ２１６に表示する第１コネクタ及び第２コネクタにおいて、両者に対応するピンの間を線で結ぶように表示する（Ｓ１４１３）。
【００３１】
また、ＣＰＵ２１１は、取得したピン番号から応答ピン記述領域Ｃ５０３の第１コネクタ記述領域Ｃ５１３に属するピン号を取得する（Ｓ１４１５）。ＣＰＵ２１１は、ディスプレイ２１６の画面において、第１コネクタのパラメータｎに対応するピンと、ステップＳ１４１５で取得したピン番号に対応する第１コネクタのピンとを、ディスプレイ２１６に表示する第１コネクタにおいて第２コネクタが表示されている側とは反対の側で、ディスプレイ２１６に表示する第１コネクタにおいて、両者に対応するピンの間を線で結ぶように表示する（Ｓ１４１７）。
例えば、図１１における修正導通状態データにおいて、入力マトリックスデータ及び応答マトリックスデータをマトリックスデータＭ１１及びマトリックスデータＭ１４とすると、第１コネクタの第１ピンＡ１に対する応答ピンのピン番号として、自らの番号を除くと第２コネクタのピン番号「Ｂ１」が抽出される。よって、図１３に示すように、第１コネクタの第１ピンＡ１と、第２コネクタの第１ピンＢ１とが、ディスプレイ２１６に表示する第１コネクタ１１３及び第２コネクタ１１４において、両者に対応するピンの間が線で結ばれるように表示される。
【００３２】
また、例えば、図１５に示すような入力マトリックスデータＭ５１及び応答マトリックスデータＭ５４であったとすると、第１コネクタの第１ピンＡ１に対する応答ピンのピン番号として、自らの番号を除くと、第１コネクタのピン番号「Ａ３」が抽出される。よって、図１６に示すように、第１コネクタの第１ピンＡ１と、第１コネクタの第３ピンＡ３とが、ディスプレイ２１６に表示する第１コネクタ１１３において第２コネクタ１１４が表示されている側とは反対の側で、両者に対応するピンの間が線で結ばれるように、基準導通状態表示領域ａ１６に表示される。
図１４に戻って、ＣＰＵ２１１は、パラメータｍを更新する（Ｓ１４１９）。ＣＰＵ２１１は、パラメータｍの値が第１コネクタ端子数情報より大きいか否かを判断する（１４２１）。ＣＰＵ２１１は、パラメータｍの値が第１コネクタ端子数情報より大きくないと判断すると、ステップＳ１４０３以降の処理を繰り返す。一方、ＣＰＵ２１１は、パラメータｍの値が第１コネクタ端子数情報より大きいと判断すると、導通状態表示処理を終了する。
【００３３】
５．５．ワイヤーハーネス検査処理
コンピュータ２１のＣＰＵ２１１が実行するワイヤーハーネス検査処理について、図１７に示すフローチャートを用いて説明する。
ＣＰＵ２１１は、パラメータｎを「１＋第１コネクタ端子数情報」に設定する（Ｓ１７０１）。ＣＰＵ２１１は、パラメータｎが第１コネクタの総端子数より大きくないか否かを判断する（Ｓ１７０２）。なお、第１コネクタの総端子数については、予めメモリ２１２に記憶されている。例えば、図１１においては、第１コネクタの総端子数は「８」となる。
図１７に戻って、ＣＰＵ２１１は、パラメータｎが第１コネクタの総端子数より大きくないと判断すると、修正導通状態データからパラメータｎに対応する個別導通状態データを対象個別導通状態データとして取得する（Ｓ１７０３）。第１コネクタ端子数情報が「３」であれば、パラメータｎの値が「４」となるので、図１１においては、図入力ピン記述領域Ｃ５０１の第１コネクタ記述領域Ｃ５１１に属する第１ピンＡ４の個別導通状態データＤＡ４を取得する。
図１７に戻って、ＣＰＵ２１１は、対象個別導通状態データにおいて、データの値が「１」であるデータを特定する（Ｓ１７０５）。そして、ＣＰＵ２１１は、特定したデータが含まれるマトリックスデータを抽出し、応答ピン記述領域Ｃ５０３における第１コネクタ記述領域Ｃ５１３に属するマトリックスデータを入力マトリックスデータ、応答ピン記述領域Ｃ５０３における第２コネクタ記述領域Ｃ５２３に属するマトリックスデータを応答マトリックスデータとして抽出し、メモリ２１２に記憶する（Ｓ１７０７）。
【００３４】
例えば、図１１においては、第４ピンＡ４の個別導通状態データを対象個別導通状態データとすると、応答ピン記述領域Ｃ５０３の第１コネクタ記述領域Ｃ５１３における第４ピンＡ４のデータ、及び、第２コネクタ記述領域Ｃ５２３における第４ピンＢ４のデータが特定される。そして、特定した第１コネクタの第１ピンＡ１のデータを含むマトリックスデータＭ２１が入力マトリックスデータとして抽出される。また、特定した第２コネクタの第４ピンＢ４のデータを含むマトリックスデータＭ２４が応答マトリックスデータとして抽出され、メモリ２１２に記憶される。
図１７に戻って、ＣＰＵ２１１は、入力マトリックスデータにおける入力ピン記述領域Ｃ５０１の第１コネクタ記述領域Ｃ５１１におけるピン番号について、最も若い番号がピン番号「Ａ１」となるように、すべてのピン番号の変換を行う（Ｓ１７０９）。ＣＰＵ２１１は、入力マトリックスデータ及び応答マトリックスデータが、基準導通情報における入力マトリックスデータ及び応答マトリックスデータと等しいか否かを判断する検査処理を実行する（Ｓ１７１１）。
【００３５】
ＣＰＵ２１１は、第１コネクタ１１３と第２コネクタ１１４との間の導通状態を表示する導通情報取得処理（図１４参照）を実行する（Ｓ１７１３）。ステップＳ１７１３で表示する導通状態表示画面を図１８に示す。ここで表示する導通状態は、導通状態表示領域ａ１８に表示される。なお、ＣＰＵ２１１は、ステップＳ１７１１において、入力マトリックスデータ及び応答マトリックスデータが、基準導通情報における入力マトリックスデータ及び応答マトリックスデータと等しくないと判断すると、基準情報取得処理における導通状態表示処理（Ｓ１２０９）においてディスプレイ２１６に表示した導通状態とは異なる導通状態について、赤色等を用いて、ユーザに注意喚起ができるように表示する。
【００３６】
[その他の実施例]
（１）ワイヤーハーネス検査装置１の構成
前述の実施例１においては、ワイヤーハーネス接続装置１１は接続されたワイヤーハーネスの導通状態を検査し、コンピュータ２１はワイヤーハーネス接続装置１１によるワイヤーハーネスの導通状態の検査結果を表示するものとしたが、ワイヤーハーネス接続装置１１とコンピュータ２１とを一体のものとして構成するようにしてもよい。
（２）基準導通情報の取得
前述の実施例１においては、基準導通情報の取得をユーザが設定するとしたが、基準導通情報を取得できるものであれば、例示のものに限定されない。例えば、検査するワイヤーハーネスが予め決まっているのであれば、メモリ等に予め基準導通情報を設定しておき、当該基準導通情報を取得するようにしてもよい。
【００３７】
（３）ワイヤーハーネス導通状態データ
前述の実施例１においては、ワイヤーハーネス導通状態データを図６に示すマトリックスデータとしたが、ワイヤーハーネスの導通状態を示すものであれば、例示のものに限定されない。例えば、図６において入力ピン記述領域Ｃ５０１の第１コネクタ記述領域Ｃ５１１のみによって構成するようにしてもよい。
（４）ワイヤーハーネス３１（ｎ）のコネクタ３１３（ｎ）の接続
前述の実施例１においては、コネクタ３１３（ｎ）を接続するコネクタにおいて、コネクタ３１３（ｎ）を隣接して接続したが、基準導通情報に沿って接続するのであれば、例示のものに限定されない。例えば、一のワイヤーハーネス３１（ｎ）のコネクタ３１３（ｎ）を接続した位置から、基準導通情報の倍数だけ離して他の一のワイヤーハーネス３１（ｎ）のコネクタ３１３（ｎ）を接続するようにしてもよい。
（５）フローチャート
前述の実施例１においては、図８、９、１２、１４、１７に示すフローチャートにより各処理を実現したが、各処理における目的を実現できるものであれば、例示のものに限定されない。
【産業上の利用可能性】
【００３８】
本発明は、ワイヤーハーネスのコネクタ間の導通状態を検査するワイヤーハーネス検査装置に用いることができる。
【図面の簡単な説明】
【００３９】
【図１】本発明に係るワイヤーハーネス検査装置１の機能ブロック図である。
【図２】ワイヤーハーネス検査装置１のハードウェア構成を示す図である。
【図３】ワイヤーハーネス接続装置１１のハードウェア構成を示す図である。
【図４】コネクタ形状を示す図である。
【図５】コンピュータ２１のハードウェア構成を示す図である。
【図６】ワイヤーハーネス導通状態データを示す図である。
【図７】コネクタの接続関係を示すコネクタ接続図である。
【図８】ワイヤーハーネス接続装置１１の動作を示すフローチャートである。
【図９】コンピュータ２１の動作を示すフローチャートである。
【図１０】コネクタ端子数の設定画面示す図である。
【図１１】修正導通状態データを示す図である。
【図１２】基準導通状態情報取得処理を示すフローチャートである。
【図１３】基準導通状態表示画面を示す図である。
【図１４】導通状態常時処理を示すフローチャートである。
【図１５】修正導通状態データを示す図である。
【図１６】基準導通状態表示画面を示す図である。
【図１７】ワイヤーハーネス検査処理を示すフローチャートである。
【図１８】導通状態表示画面示す図である。
【図１９】従来のワイヤーハーネス検査装置を示す図である。
【符号の説明】
【００４０】
１・・・・・ワイヤーハーネス検査装置
１１・・・・・ワイヤーハーネス接続装置
２１・・・・・コンピュータ
【図１】
2010060403.tif 000003
【図２】
2010060403.tif 000004
【図３】
2010060403.tif 000005
【図４】
2010060403.tif 000006
【図５】
2010060403.tif 000007
【図６】
2010060403.tif 000008
【図７】
2010060403.tif 000009
【図８】
2010060403.tif 000010
【図９】
2010060403.tif 000011
【図１０】
2010060403.tif 000012
【図１１】
2010060403.tif 000013
【図１２】
2010060403.tif 000014
【図１３】
2010060403.tif 000015
【図１４】
2010060403.tif 000016
【図１５】
2010060403.tif 000017
【図１６】
2010060403.tif 000018
【図１７】
2010060403.tif 000019
【図１８】
2010060403.tif 000020
【図１９】
2010060403.tif 000021